(57)【特許請求の範囲】
【請求項１】
上部デッキボードと下部デッキボードとを、それぞれ連結する、隅桁と中間桁と中央桁とを有する合成樹脂製パレットにおいて、上部デッキボードが、隅桁と中間桁とを連結する桁間連結リブと該桁間連結リブに直交する桁間直交リブと、中間桁と中央桁とを連結する桁間連結リブと該桁間連結リブに直交する桁間直交リブと、隅桁と中間桁間及び中間桁と中央桁間に位置する領域以外の桁間外領域に形成された互いに交叉するリブとにより形成されているとともに、前記桁間連結リブ、前記桁間直交リブ及び前記桁間外領域に形成されたリブの長さ方向に対して垂直な断面形状が、水平部と該水平部の中央から下方に垂設された垂直部とからなるＴ字状に形成されており、且つ、前記Ｔ字状に形成された桁間連結リブのうちの少なくとも一部の桁間連結リブの水平部の幅（桁間連結リブの長さ方向と垂直な水平部の幅）が、前記桁間直交リブや前記桁間外領域に形成されたリブの水平部の幅より広く形成されていることを特徴とする合成樹脂製パレット。
【請求項２】
前記桁間直交リブ及び前記桁間外領域に形成されたリブのうち、少なくとも一部のリブの前記垂直部の高さを、前記桁間連結リブの垂直部の高さより低くしたことを特徴とする請求項１に記載の合成樹脂製パレット。
【発明の詳細な説明】
【０００１】
【発明の属する技術分野】
本発明は、物品の運搬、保管等に使用される合成樹脂製パレットに関するものである。
【０００２】
【従来の技術】
従来、上部デッキボードと、下部デッキボードと、上部デッキボードと下部デッキボードとを連結する桁とからなる合成樹脂製パレットが知られており、上部デッキボードは、水平部と水平部の中央から下方に垂設された垂直部とからなるＴ字のリブが交叉した、メッシュ状に形成されており、また、下部デッキボードは、垂直部と垂直部の下端に延在する水平部とからなる逆Ｔ字のリブが交叉した、メッシュ状に形成されている。
【０００３】
【発明が解決しようとする課題】
上述した従来の合成樹脂製パレットにおいては、強度を高めるために、リブの厚さを厚くしているが、リブの厚さを厚くすると、合成樹脂製パレットの重量が増加するとともに、単に、リブの厚さを厚くしても、重量増加に見合った効果的な強度増加にならないという問題があった。
【０００４】
本発明の目的は、上述した従来の合成樹脂製パレットが有する課題を解決することにある。
【０００５】
【課題を解決するための手段】
本発明は、上述した目的を達成するために、第１には、上部デッキボードと下部デッキボードとを、それぞれ連結する、隅桁と中間桁と中央桁とを有する合成樹脂製パレットにおいて、上部デッキボードが、隅桁と中間桁とを連結する桁間連結リブと該桁間連結リブに直交する桁間直交リブと、中間桁と中央桁とを連結する桁間連結リブと該桁間連結リブに直交する桁間直交リブと、隅桁と中間桁間及び中間桁と中央桁間に位置する領域以外の桁間外領域に形成された互いに交叉するリブとにより形成されているとともに、前記桁間連結リブ、前記桁間直交リブ及び前記桁間外領域に形成されたリブの長さ方向に対して垂直な断面形状が、水平部と該水平部の中央から下方に垂設された垂直部とからなるＴ字状に形成されており、且つ、前記Ｔ字状に形成された桁間連結リブのうちの少なくとも一部の桁間連結リブの水平部の幅（桁間連結リブの長さ方向と垂直な水平部の幅）を、前記桁間直交リブや前記桁間外領域に形成されたリブの水平部の幅より広く形成したものであり、また、第２には、前記桁間直交リブ及び前記桁間外領域に形成されたリブのうち、少なくとも一部のリブの前記垂直部の高さを、前記桁間連結リブの垂直部の高さより低くしたものである。
【０００６】
【実施例】
以下に、図１〜図６を用いて、本発明の実施例を、同一形状に、合成樹脂で一体に成形された半製品である一対のスキッドを、桁部で溶着することにより形成された両面使用の合成樹脂製パレット（以下、単に、パレットともいう。）を例に説明する。
【０００７】
上述したように、パレットＰは、合成樹脂で、同一形状に一体成形された半製品である一対のスキッドＳを、筒状の桁部で溶着することにより形成されており、平面形状が方形状のスキッドＳは、四隅に形成された隅桁部１ａ’と、隅桁部１ａ’の中間に形成された中間桁部１ｂ’と、中央部に形成された中央桁部１ｃ’とを有している。そして、一対のスキッドＳの隅桁部１ａ’の端面同士、中間桁部１ｂ’の端面同士及び中央桁部１ｃ’の端面同士を、それぞれ、互いに溶着することによりパレットが形成される。
【０００８】
上述したようにして形成されたパレットは、上部デッキボードｐ１と下部デッキボードｐ２と、四隅に形成された隅桁部１ａ’、１ａ”からなる筒状の隅桁１ａと、隅桁１ａの中間に形成された中間桁部１ｂ’、１ｂ”とからなる筒状の中間桁１ｂと、中央桁部１ｃ’とからなる筒状の中央桁１ｃとを有するとともに、隅桁１ａと中間桁１ｂとの間及び中間桁１ｂと中央桁との間には、フォークリフトのフォークが挿入可能なフォーク差し込み口ｐ３が形成されている。なお、このように形成されたパレットを構成する上部デッキボードｐ１と下部デッキボードｐ２には、デッキ面ｐ１’、ｐ２’の周縁から下方及び上方に、それぞれ延在する周壁ｐ４が形成されており、そして、周壁ｐ４の内側寄りに、隅桁１ａ及び中間桁１ｂが形成されているが、隅桁１ａ及び中間桁１ｂの外側壁面が、周壁ｐ４の外面と面一になるように構成することもできる。
【０００９】
以下に、上部デッキボードｐ１の下面及び下部デッキボードｐ２の上面に形成されているリブ構造について説明するが、本実施例においては、上部デッキボードｐ１と下部デッキボードｐ２とは、同一形状を有しているので、上部デッキボードｐ１の下面に形成されているリブ構造についてのみ説明する。
【００１０】
隅桁１ａと中間桁１ｂ間に位置する上部デッキボードｐ１の下面には、隅桁部１ａ’と中間桁部１ｂ’とを連結する複数の桁間連結リブ２と、桁間連結リブ２に直交する複数の桁間直交リブ３とが、交叉するように垂設されている。同様に、中間桁部１ｂ’と中央桁部１ｃ’間に位置する上部デッキボードｐ１の下面にも、中間桁部１ｂ’と中央桁部１ｃ’とを連結する複数の桁間連結リブ２と、桁間連結リブ２に直交する複数の桁間直交リブ３とが、交叉するように垂設されている。更に、隅桁部１ａ’と中間桁部１ｂ’間及び中間桁部１ｂ’と中央桁部１ｃ’間に位置する領域以外の領域Ｒ（以下、この領域を、桁間外領域という。）に位置する上部デッキボードｐ１の下面には、縦横に走る複数の桁間外リブ４、５が垂設されている。
【００１１】
本実施例においては、隅桁部１ａ’と中間桁部１ｂ’とを連結する桁間連結リブ２に直交する桁間直交リブ３の周壁ｐ４側に位置する端部には、周壁ｐ４から桁間連結リブ２方向に向かって下方に傾斜する傾斜部３’が形成されており、また、周壁ｐ４に隣接した桁間連結リブ２’も、傾斜部３’に合わせて、他の桁間連結リブ２より低く形成されている。そして、上記の桁間直交リブ３の傾斜部３’と高さの低い桁間連結リブ２’とにより、仮想傾斜面が形成されており、このような仮想傾斜面を形成するすることにより、フォーク差し込み口ｐ３が外側に向かって、徐々に拡張するように形成されるので、フォーク差し込み口ｐ３へのフォークの挿入が容易になる。
【００１２】
上述した上部デッキボードｐ１を構成する、隅桁部１ａ’と中間桁部１ｂ’とを連結する桁間連結リブ２と、該桁間連結リブ２に直交する桁間直交リブ３と、中間桁部１ｂ’と中央桁部１ｃ’とを連結する桁間連結リブ２と、該桁間連結リブ４に直交する桁間直交リブ３と、桁間外領域Ｒに位置する桁間外リブ４、５とは、リブの長さ方向に対して垂直な断面形状が、水平部２ａ、３ａ、４ａ、５ａと水平部２ａ、３ａ、４ａ、５ａの中央から下方に垂設された垂直部２ｂ、３ｂ、４ｂ、５ｂとからなるＴ字状に形成されており、上記の水平部２ａ、３ａ、４ａ、５ａの上面により、メッシュ状のデッキ面Ｐが形成されている。
【００１３】
本実施例においては、桁間を連結するリブ、即ち、上部デッキボードｐ１を構成する、隅桁部１ａ’と中間桁部１ｂ’とを連結する桁間連結リブ２及び中間桁部１ｂ’と中央桁部１ｃ’とを連結する桁間連結リブ２の水平部２ａの幅ｄ１（長さ方向と垂直な水平部の幅）が、他のリブ、即ち、桁間直交リブ３や桁間外リブ４、５の幅ｄ２より広く形成されている。このように、桁間を連結する桁間連結リブ２の水平部の幅ｄ１を広くすることにより、桁間連結リブ２の強度を高めることができ、従って、パレットの強度、剛性を、パレットの重量の増加を抑えて、大きくすることができる。
【００１４】
上述した実施例には、隅桁部１ａ’と中間桁部１ｂ’とを連結する桁間連結リブ２及び中間桁部１ｂ’と中央桁部１ｃ’とを連結する桁間連結リブ２の水平部２ａの全てについて、その幅ｄ１を他のリブの幅より広くした例が示されているが、必ずしも、全ての桁間連結リブ２の幅ｄ１を広くする必要はなく、適当数の桁間連結リブ２の水平部２ａのみを、幅広く形成することもできる。
【００１５】
また、上述した実施例には、一例として、合成樹脂で、同一形状に一体成形された半製品である一対のスキッドＳを、桁部で溶着することにより形成された両面使用のパレットが示されているが、このような両面使用のパレットに限定されることなく、片面使用のパレットに適用することもできる。
【００１６】
更に、上述した実施例には、隅桁１ａ、中間桁１ｂ及び中央桁１ｃの上下部が、メッシュ状に形成されているが、無垢の板状に形成することもできる。
【００１７】
図７〜図９を用いて、本発明の他の実施例について説明する。
【００１８】
本実施例は、桁間連結リブ２以外のリブ、即ち、桁間直交リブ３及び桁間外リブ４、５の垂直部３ｂ、４ｂ、５ｂの高さｈ１を、桁間連結リブ２の垂直部２ｂの高さｈ２より、低くしたものであり、このように、桁間直交リブ３及び桁間外リブ４、５の垂直部３ｂ、４ｂ、５ｂの高さｈ１を、桁間連結リブ２の垂直部２ｂの高さｈ２より、低く形成することにより、パレットの強度や剛性の低下を抑えて、パレット全体の重量を低減することができる。なお、全ての桁間直交リブ３及び桁間外リブ４、５の垂直部３ｂ、４ｂ、５ｂの高さｈ１を、低くすることなく、所望の適当数の桁間直交リブ３及び桁間外リブ４、５のみの垂直部３ｂ、４ｂ、５ｂの高さｈ１を、低くするように構成することもできる。
【００１９】
次に、図１０及び図１１を参照して、具体的な試験結果について説明する。なお、後述する試験は、ＪＩＳ  Ｚ  ６０６のプラスチック製平パレット参考試験に準拠して行われた。
【００２０】
大きさが１１３０ｍｍ×１４４０ｍｍ、厚さが１４０ｍｍのパレットＰを、図１０に示されているように、１２４０ｍｍの間隔を置いて配置された支持部材ｔ１の上に載置するとともに、全体重量が、５００ｋｇの重りｔ２を均等にパレットの上面に載置して、温度２３度（摂氏）の条件下で、且つ、パレットの下面と試験台との間に、ダイヤルゲージｔ３を配置して撓み試験を行った。
【００２１】
試験されたパレットのリブ形状は、リブＡのものが、図１１（ａ）に示されているように、水平部の幅が６ｍｍで、その厚さが３ｍｍで、垂直部の長さが２７ｍｍで、その厚さが３ｍｍであり、リブＢのものが、図１１（ｂ）に示されているように、水平部の幅が１２ｍｍで、その厚さが３ｍｍで、垂直部の長さが２７ｍｍで、その厚さが３ｍｍであり、リブＣのものが、図１１（ｃ）に示されているように、水平部の幅が６ｍｍで、その厚さが３ｍｍで、垂直部の長さが２７ｍｍで、その厚さが４ｍｍである。リブＡの断面積は、９９ｍｍ2 であり、リブＢの断面積は、１１７ｍｍ2 であり、リブＣの断面積は、１２６ｍｍ2 である。そして、重りｔ２を載置してから、１００時間経過後のパレット中央部の撓みは、リブＢの場合、２３．５ｍｍであったが、リブＣの場合、３０．１ｍｍであり、リブＢは、リブＣに対して、約２８％、撓み量が少なかった。従って、Ａのようなリブがあった場合、リブＣのように、垂直部の厚さを増やすより、リブＢのように、水平部の幅を増やした方が、無駄な重量の増加を伴うことなく、効果的に、パレットの剛性が上がることになる。本発明は、このような知見に基づいてなされたものである。
【００２２】
【発明の効果】
本発明は、以上説明した構成を有しているので、以下に記載する効果を奏するものである。
【００２３】
桁を連結するＴ字状リブのうち、少なくとも一部のリブの水平部の幅を、他のＴ字状リブの水平部の幅より広くしたので、パレットの強度、剛性を、パレットの重量の増加を抑えて、大きくすることができる。
【００２４】
桁を連結するＴ字状リブ以外のリブのうち、少なくとも一部のリブの垂直部の高さを、他のＴ字状リブの垂直部の高さより低くしたので、パレットの強度や剛性の低下を抑えて、パレット全体の重量を低減することができる。
【図面の簡単な説明】
【図１】図１は本発明の合成樹脂製パレットの斜視図である。
【図２】図２は図１に示されている合成樹脂製パレットを構成する上部デッキボードの下面から見た斜視図である。
【図３】図３は図２に示されている上部デッキボードの下面から見た部分斜視図である。
【図４】図４は同じく図２に示されている上部デッキボードの下面から見た部分斜視図である。
【図５】図５は図３と同様の本発明の合成樹脂製パレットを構成する上部デッキボードの下面から見た部分斜視図である。
【図６】図６は同じく図３と同様の本発明の合成樹脂製パレットを構成する上部デッキボードの下面から見た部分斜視図である。
【図７】図７は本発明の他の実施例の合成樹脂製パレットを構成する上部デッキボードの下面から見た斜視図である。
【図８】図８は図７に示されている合成樹脂製パレットを構成する上部デッキボードの下面から見た部分斜視図である。
【図９】図９は同じく図７に示されている合成樹脂製パレットを構成する上部デッキボードの下面から見た部分斜視図である。
【図１０】図１０は試験方法を示す正面図である。
【図１１】図１１は試験に使用された各部の寸法が記載されたリブ形状である。
【符号の説明】
ｐ１・・・・・・・・・・・・・上部デッキボード
ｐ２・・・・・・・・・・・・・下部デッキボード
２・・・・・・・・・・・・・・桁間連結リブ
３・・・・・・・・・・・・・・桁間直交リブ
４、５・・・・・・・・・・・・桁間外リブ
【図１】
0004326123.tif 000002
【図２】
0004326123.tif 000003
【図３】
0004326123.tif 000004
【図４】
0004326123.tif 000005
【図５】
0004326123.tif 000006
【図６】
0004326123.tif 000007
【図７】
0004326123.tif 000008
【図８】
0004326123.tif 000009
【図９】
0004326123.tif 000010
【図１０】
0004326123.tif 000011
【図１１】
0004326123.tif 000012